(57)【要約】【課題】本発明は、熱交換素子および熱交換形換気装置において、コンパクト性に優れ、高い熱回収効果を実現することを目的とする。【解決手段】円筒形の熱交換素子４であって、熱交換素子４を給気風路１３と排気風路１４が扇形の柱体となり、扇形の頂点が熱交換素子４の中心に配置されるように伝熱板１６で仕切り、給気風路１３と排気風路１４は交互に配置され、給気風路１３は室外吸込口１０と室内吹出口８を有し、排気風路１４は室内吸込口７と室外吹出口９を有する構成とした。【選択図】図３
2018017462.tif 000002
【特許請求の範囲】
【請求項１】
伝熱板で仕切られた扇形の柱体である給気風路と排気風路とを交互に備えた円筒形の熱交換素子であって、前記排気風路と前記給気風路の扇形の頂点は円筒形の熱交換素子の中心に配置され、前記給気風路は室外吸込口と室内吹出口を有し、排気風路は室内吸込口と室外吹出口を有することを特徴とする熱交換素子。
【請求項２】
円筒形の前記熱交換素子の一方の底面の中心側に前記室内吹出口を備え、外周側に前記室内吸込口を備え、前記室内吹出口と前記室内吸込口との開口面積が略同一であることを特徴とする請求項１に記載の熱交換素子。
【請求項３】
前記室内吹出口および前記室内吸込口を備えた底面と異なる底面の中心側に前記室外吹出口を備え、外周側に前記室外吸込口を備え、前記室外吹出口と前記室外吸込口との開口面積が略同一であることを特徴とする請求項１または２に記載の熱交換素子。
【請求項４】
円筒形の前記熱交換素子の一方の底面に前記室外吹出口を備え、前記熱交換素子の側面に前記室外吸込口を備えたことを特徴とする請求項１または２に記載の熱交換素子。
【請求項５】
前記給気風路と前記排気風路は複数の整流リブを備えることを特徴とする請求項１から４のいずれかに記載の熱交換素子。
【請求項６】
前記伝熱板の素材が熱伝導性の高い金属または樹脂であることを特徴とする請求項１から５のいずれかに記載の熱交換素子。
【請求項７】
前記熱交換素子を備えたことを特徴とする請求項１から６のいずれかに記載の熱交換形換気装置。
【請求項８】
円筒形の仕切板の内周に設けた複数の内羽根と、前記仕切板の外周に設けた複数の外羽根を備え、前記内羽根は傾斜し、前記外羽根は前記内羽根と逆方向に傾斜した送風機を備えた請求項７に記載の熱交換形換気装置。
【発明の詳細な説明】
【技術分野】
【０００１】
本発明は、熱交換素子およびそれを用いた熱交換形換気装置関するものである。
【背景技術】
【０００２】
近年、地球温暖化にともなって居住分野の省エネが重視されるようになってきた。住宅の消費エネルギーの中では給湯、照明、空調、換気の消費エネルギーが比較的大きいため、これらの消費エネルギーを低減する技術が切に望まれている。
【０００３】
この中で住宅の空調負荷に着目すると、住宅の躯体から逃げる熱（冷房の場合は冷熱）と換気によって逃げる熱がある。住宅の躯体から逃げる熱は、ここ数十年での住宅の断熱、気密性能の大幅な向上により、かなり低減されるようになってきた。一方、換気によって逃げる熱を低減させるには、排気流と給気流の間で熱交換を行う熱交換形換気装置が有効である。熱交換素子は熱交換形換気装置の内部で排気流と給気流の間で熱交換を行うものである。
【０００４】
特に、空調エネルギー低減のニーズは室内と室外の温度差の大きい寒冷地域で特に熱回収効果が高いが、日本住宅の地域区分６（東京など）に属する温暖地域では、熱回収効果が小さくなり、熱回収効果を熱交換形換気装置の消費電力が相殺する課題があった。これは熱交換形換気装置を天井裏などに配置させ、各居室に空気を分配させるためダクトを取り回す必要があり、ダクト内を送風するために必要な換気の動力が消費電力の負荷となるためである。
【０００５】
これらの課題に対して、熱交換形換気装置の各居室に取り回すダクトにかかる電力負荷を軽減するために、熱交換形換気装置を壁に設けたダクト内に埋め込み熱回収をしつつ換気する検討がなされてきた。（例えば、特許文献１参照）。
【０００６】
これらを実現するために、この種の熱交換形換気装置は、以下のような構成となっていた。
【０００７】
図９に示すように、壁等の仕切り部材を貫通させて設けられ、円柱状の排気風路１０２と排気風路１０２の周囲に設けた給気風路１０１との両空間を熱交換機能がある仕切板１０３で仕切られており、排気風路１０２には排気用ファン１０４が備えられている。排気用ファン１０４が動作すると排気流が動作する一方で、室内が負圧となるため給気風路には給気流が生じ、排気流と給気流が仕切板１０３を介して熱交換するようになっている。
【先行技術文献】
【特許文献】
【０００８】
【特許文献１】特開２００４−３０１３８３号公報
【発明の概要】
【発明が解決しようとする課題】
【０００９】
このような従来の熱交換形換気装置は、円柱状の一つの排気風路に対して、排気風路を取り囲む給気風路を設けており、給気風路と排気風路を仕切る仕切部材にのみ伝熱板を設けていることから、給気と排気との熱交換は円柱状の排気風路の側面のみで行われるため、伝熱面積が小さく、排気流の周縁を流れる排気流からは給気流に熱を回収できるが、排気風路の中心近くを流れる排気流からは給気流に熱を十分に回収できず、結果として、給気風路を流れる給気流と排気風路を流れる排気流が十分に熱交換できず熱回収効果が低いという課題があった。
【００１０】
そこで本発明は上記従来の課題を解決するものであり、コンパクト性に優れ、高い熱回収効果を実現する熱交換素子および熱交換形換装置を提供することを目的とする。
【課題を解決するための手段】
【００１１】
そして、この目的を達成するために、本発明は、伝熱板で仕切られた扇形の柱体である給気風路と排気風路とを交互に備えた円筒形の熱交換素子であって、前記排気風路と前記給気風路の扇形の頂点は円筒形の熱交換素子の中心に配置され、前記給気風路は室外吸込口と室内吹出口を有し、排気風路は室内吸込口と室外吹出口を有するものであり、これにより所期の目的を達成するものである。
【発明の効果】
【００１２】
以上のように本発明は、伝熱板で仕切られた扇形の柱体である給気風路と排気風路とを交互に備えた円筒形の熱交換素子であって、前記排気風路と前記給気風路の扇形の頂点は円筒形の熱交換素子の中心に配置され、前記給気風路は室外吸込口と室内吹出口を有し、排気風路は室内吸込口と室外吹出口を有するものであり、コンパクト性に優れ、高い熱回収効果を実現する熱交換素子および熱交換形換装置を提供するものである。
【００１３】
すなわち、本発明によれば、壁に設けたダクト等の円筒部材内部への設置が可能であり、各居室に空気を分配させるためダクトを取り回す必要がなく、更に複数の前記給気風路と前記排気風路とが前記伝熱板で仕切られ交互に備えられていることで、複数の伝熱板によって伝熱面積を広く確保することができるので、結果として、コンパクト性に優れ、高い熱回収効果を実現する熱交換素子および熱交換形換気装置を提供することができる。
【図面の簡単な説明】
【００１４】
【図１】本発明の実施の形態１にかかる熱交換形換気装置の設置例を示す概略平面図
【図２】同熱交換形換気装置の断面を示す断面を示す図
【図３】同熱交換形換気装置の熱交換素子のX面を前方に配置した斜視図
【図４】同熱交換形換気装置の熱交換素子のX面を前方に配置した分解斜視図
【図５】同熱交換形換気装置の熱交換素子のX面を前方に配置した分解斜視図
【図６】同熱交換形換気装置の熱交換素子のY面を前方に配置した斜視図
【図７】同熱交換形換気装置の熱交換素子のY面を前方に配置した斜視図
【図８】同熱交換形換気装置の熱交換素子と送風機の斜視図
【図９】従来の熱交換素子の外観を示す斜視図
【発明を実施するための形態】
【００１５】
本発明の請求項１に記載の熱交換形換気装置は、伝熱板で仕切られた扇形の柱体である給気風路と排気風路とを交互に備えた円筒形の熱交換素子であって、前記排気風路と前記給気風路の扇形の頂点は円筒形の熱交換素子の中心に配置され、前記給気風路は室外吸込口と室内吹出口を有し、排気風路は室内吸込口と室外吹出口を有する構成である。これにより、ダクト等の円筒部材内部への設置が可能であり、更に複数の前記給気風路と前記排気風路とが前記伝熱板で仕切られ交互に備えられていることで、複数の伝熱板によって伝熱面積を広く確保することができるので、コンパクト性に優れ、高い熱回収効果を実現できるという効果を奏する。
【００１６】
また、円筒形の前記熱交換素子の一方の底面の中心側に前記室内吹出口を備え、外周側に前記室内吸込口を備え、前記室内吹出口と前記室内吸込口との開口面積が略同一である構成としてもよい。これにより、前記室内吹出口と前記室内吸込口との開口面積が略同一であることから、前記給気風路を流れる給気流と前記排気風路を流れる排気流を均一な風量で通風することができ、給気風量もしくは排気風量一方の風量低下が低減され、給気流と排気流が十分に熱交換できるので、高い熱回収効果を実現できるという効果を奏する。
【００１７】
また、前記室内吹出口および前記室内吸込口を備えた底面と異なる底面の中心側に前記室外吹出口を備え、外周側に前記室外吸込口を備え、室外吹出口と室外吸込口との開口面積が略同一である構成としてもよい。これにより、前記室内吹出口と前記室内吸込口との開口面積が略同一であることから、前記給気風路を流れる給気流と前記排気風路を流れる排気流を均一な風量で通風することができ、給気流と排気流が十分に熱交換できるので、高い熱回収効果を実現できるという効果を奏する。
【００１８】
また、円筒形の前記熱交換素子の一方の底面に前記室外吹出口を備え、前記熱交換素子の側面に前記室外吸込口を備える構成としてもよい。これにより、室外吹出口から排気された屋内空気が室外吸込口から吸い込まれにくくなり、いわゆるショートサーキットが起こらず、ショートサーキットによる換気効率の低下を防ぐことがという効果を奏する。  また、前記給気風路と前記排気風路は複数の整流リブを備える構成としてもよい。これにより、前記給気風路と前記排気風路を前記リブに沿って風が整流され、前記給気風路および前記排気風路内において通風の偏りを低減できるので、これらの風路を仕切る前記伝熱板上の通風の偏りが低減され、前記伝熱板の伝熱面積の低減を防ぎ、熱交換効率を向上できるので、高い熱回収効果を実現できるという効果を奏する。
【００１９】
また、前記伝熱板の素材が熱伝導性の高い金属または樹脂としてもよい。これにより、前記伝熱板の熱伝導率を向上できるので、高い熱回収効果を実現できるという効果を奏する。
【００２０】
また、前記熱交換素子を備えた熱交換形換気装置としてもよい。これにより、ダクト等の円筒部材内部への設置が可能であり、更に、前記熱交換素子は、複数の前記給気風路と前記排気風路とが前記伝熱板で仕切られ交互に備えられていることで、複数の伝熱板によって伝熱面積を広く確保することができるので、コンパクト性に優れ、高い熱回収効果を実現できる熱交換形換気装置を提供することができるという効果を奏する。
【００２１】
また、円筒形の仕切板の内周に設けた複数の内羽根と、前記仕切板の外周に設けた複数の外羽根を備え、前記内羽根は傾斜し、前記外羽根は前記内羽根と逆方向に傾斜した送風機を備えた構成としてもよい。これにより、１つの送風機で逆方向に２方向の風を送風することが可能となり、前記給気風路と前記排気風路のそれぞれを通風させるために用いる送風機を一つにすることができ、送風機を２つ用いる場合と比較して、前記熱交換素子の奥行き方向へのサイズアップが図れることで、伝熱面積を増加して熱交換効率を向上できるので、コンパクト性に優れ、熱回収効果の高い換気運転を実現できるという効果を奏する。
【００２２】
以下、本発明の実施の形態について図面を参照しながら説明する。
【００２３】
（実施の形態１）
図１において、家の壁面１に熱交換形換気装置２が設置されている。
【００２４】
例として日本の冬季を挙げると、屋内の空気（以下、屋内空気という）を、白色矢印のごとく、熱交換形換気装置２を介して屋外に放出する。
【００２５】
また、屋外の空気（以下、屋外空気という）は、黒色矢印のごとく、熱交換形換気装置２を介して室内にとり入れる。
【００２６】
そして、このことにより換気を行うとともに、この換気時に、放出する屋内空気の熱を室内に取り入れる屋外空気へと伝達し、不用な熱の放出を抑制しているのである。従来ある熱交換できる換気装置として、天井裏に埋め込む方式の換気扇が知られているが、そのような天井埋込型の換気扇にかかる構成は、各居室に空気を分配させるためダクトを取り回す必要があるため大型となり、設置が困難であるという課題を有していた。
【００２７】
図２は家の壁面１に設置された熱交換形換気装置２の断面を示す図である。
【００２８】
本実施の形態では、熱交換形換気装置２は図２に示すように、壁を貫通させたダクト３内に設けられている。ダクト３のサイズに法規制はないが、一般的な壁面に埋め込むダクト３の径はΦ１００〜１５０ｍｍ程度であり、この一般的なサイズのダクト３に収めることができる熱交換形換気装置２が望ましい。熱交換形換気装置２は、図２に示すように、ダクト３に熱交換素子４を配置し、熱交換素子４の室内側に設けた送風機５を駆動することで、屋内空気を、送風機５を経由して室内吸込口７から吸い込み、熱交換素子４内を通り、室外吹出口９から屋外へと排出する。
【００２９】
また、送風機５を駆動することで、屋外空気を室外吸込口１０から吸い込み、熱交換素子４内を通り、室内吹出口８から送風機５を経由し、屋内へと取り入れる構成となっている。本実施の形態では、送風機５は、１つの送風機５で排気と給気を同時に行うことができる送風機５を用いている。送風機５の構造については、後述する。
【００３０】
図３は、本実施の形態の熱交換形換気装置２の熱交換素子４の図２に示したX面すなわち室内側を前方に配置した斜視図である。
【００３１】
図４および図５は、本実施の形態の熱交換形換気装置２の熱交換素子４の図２に示したX面すなわち室内側を前方に配置した分解斜視図である。
【００３２】
熱交換素子４は、図３に示すように、円筒形の形状であり、円形の底面の中心から放射状に一方の底面から他方の底面までを伝熱板１６で円筒の内部を仕切られ複数の風路が形成されている。各々の風路は、扇形の柱体の形状となり、柱体の底面の扇形の頂点が円筒の中心に配置されることとなる。風路は、給気風路１３と排気風路１４の２種類がある。図４に示すように、給気風路１３は、扇形の一方の底面に設けた室外吸込口１０から屋外空気を吸い込み、熱交換素子４内を通り、室外吸込口１０と反対の底面に設けた室内吹出口８に吹き出す風路である。図５に示すように、排気風路１４は、室内吹出口８と同じ底面に設けた室内吸込口７から室内空気を吸い込み、熱交換素子４内を通り室内吸込口７と反対の底面に設けた室外吹出口９に吹き出す風路である。図２に示すように、給気風路１３と排気風路１４は交互に配置されている。つまり、円筒形の熱交換素子４の一方の底面に、室内吸込口７と室内吹出口８が交互に設けられ、他方の底面に室外吹出口９と室外吸込口１０が交互に設けられている。室内吸込口７と室内吹出口８が設けられた底面を室内側に、室外吹出口９と室外吸込口１０が設けられた底面を室外側になるように、熱交換素子４はダクト内に配置される。そして、給気風路１３と排気風路１４は、伝熱板１６で仕切られているので、給気風路１３を流れる給気流の熱と排気風路１４を流れる排気流の熱が、伝熱板１６を通して熱交換される。この構成により、熱交換素子４は円筒形であるため、ダクト等の円筒部材内部への設置が可能であり、天井裏に設置する熱交換形換気装置のように各居室に空気を分配させるためダクトを取り回す必要がない。更に複数の給気風路１３と排気風路１４に伝熱板１６が交互に備えられていることで、伝熱面積を広く確保することができる。これによりコンパクト性に優れ、高い熱回収効果を実現できるという効果を奏する。
【００３３】
また、円筒形の熱交換素子４の一方の底面の中心側に室内吹出口８を備え、底面の外周側に室内吸込口７を備え、室内吹出口８と室内吸込口７との開口面積が略同一である構成としてもよい。
【００３４】
図３に示すように、室内吸込口７と室内吹出口８が設けられた円筒形の熱交換素子４の底面に、円形のリブである給排風路仕切板１５ａを設ける。そして、図４に示すように、給気風路１３は、給排風路仕切板１５ａの内側、すなわち、熱交換素子４の底面の中心側のみを開口して室内吹出口８を設ける。そして、図５に示すように、給気風路１３と隣接する排気風路１４は、給排風路仕切板１５ａの外側、すなわち、熱交換素子４の底面の外周側のみを開口して室内吸込口７を設ける。円形のリブである給排風路仕切板１５ａは、室内吸込口７と室内吹出口８の開口面積が略同一となる位置に設ける。これにより、排気と給気をそれぞれ分断する構成となっている。すなわち、熱交換素子４の底面において、給排風路仕切板１５ａの内側から、屋外空気が室内に給気され、給排風路仕切板１５ａの外側からは、屋内空気が排気風路１４に排気される。この構成により、室内吹出口８を介して流出する給気と室内吸込口８を介して流入する排気の風量を略同一とすることが可能である。すなわち、室内吹出口８近傍と室内吸込口７近傍での伝熱板１６に送風される風量を均一に保つことが可能となる。室内吹出口８と室内吸込口７との開口面積が異なる場合、排気風量もしくは給気風量の一方が風量低下し、排気流と給気流が十分に熱交換されなくなる。したがって、排気風量もしくは給気風量の一方が風量低下を低減することで、給気流と排気流が十分に熱交換できる。これにより高い熱回収効果を実現できるという効果を奏する。
【００３５】
図６は、本実施の形態の熱交換形換気装置２の熱交換素子４の図２に示したY面、すなわち室外側を前方に配置した斜視図である。
【００３６】
図６に示すように、室外吹出口９と室外吸込口１０との開口面積が略同一である構成としてもよい。
【００３７】
室外吹出口９と室外吸込口１０が設けられた円筒形の熱交換素子４の底面に、円形のリブである給排風路仕切板１５ｂを反対側の底面と同様に設ける。そして、図４に示すように、給気風路１３は、給排風路仕切板１５ｂの外側、すなわち、熱交換素子４の底面の外周側のみを開口して室外吸込口１０を設ける。そして、図５に示すように、排気風路１４は、給排風路仕切板１５ｂ（点線部）の内側、すなわち、熱交換素子４の底面の中心側のみを開口して室外吹出口９を設ける。円形のリブである給排風路仕切板１５ｂは、室外吹出口９と室外吸込口１０の開口面積が略同一となる位置に設ける。これにより、排気と給気をそれぞれ分断する構成となっている。すなわち、熱交換素子４の底面において、給排風路仕切板１５ｂの外側から、室外空気が給気風路１３に吸い込まれ、給排風路仕切板１５ｂの内側から、屋内空気が排気風路１４から排気される。
【００３８】
この構成により、室外吹出口９を介して流出する排気と室外吸込口１０を介して流入する給気の風量を同一とすることが可能である。すなわち、室外吹出口９近傍と室外吸込口１０近傍での伝熱板１６に送風される風量を均一に保つことが可能となる。室外吹出口９と室外吸込口１０との開口面積が異なる場合、排気風量もしくは給気風量の一方が風量低下し、排気流と給気流が十分に熱交換されなくなる。したがって、排気風量もしくは給気風量の一方が風量低下を低減することで、給気流と排気流が十分に熱交換できる。これにより高い熱回収効果を実現できるという効果を奏する。
【００３９】
図７は、本実施の形態の熱交換形換気装置２の熱交換素子４の図２に示したY面、すなわち室外側を前方に配置した斜視図である。
【００４０】
熱交換素子４のＹ面すなわち室外側の開口部は、図６に示した構造の他、図７に示した構造としてもよい。
【００４１】
図７に示すように、円筒形の熱交換素子４の側面に室外吸込口１０を備え、室内吸込口７と対向する熱交換素子４の面に室外吹出口９を備え、室外吹出口９の開口面積が室内吸込口７の開口面積より大きい構成としてもよい。すなわち、室外吸込口１０と室外吹出口９を同一の底面ではなく別の面に設けることにより室外吹出口９から排気された屋内空気が室外吸込口１０から吸い込まれにくくなり排気と給気をそれぞれ分断する構成となっている。この構成により、室内吸込口７より室外吹出口９の開口面積を拡張することが可能となる。拡張した室外吹出口９は拡張していない場合と比較して、室外吹出口９近傍における圧力損失を低減することができ、送風機５の消費電力を低減できる。
【００４２】
また、給気風路１３と排気風路１４は複数の整流リブ１７を備える構成としてもよい。この構成により、給気風路１３と排気風路１４内を流れる風が整流リブ１７に沿って整流され、給気風路１３および排気風路１４内において通風の偏りを低減できるので、これらの風路を仕切る伝熱板１６の通風の偏りが低減され、伝熱板１６の伝熱面積の低減を防ぎ、熱交換効率を向上できる。これにより高い熱回収効果を実現できるという効果を奏する。
【００４３】
なお、給気風路１３と排気風路１４内の整流リブ１７で区切られた風路の体積が等しくなるように整流リブ１７を備える構成としてもよい。この構成により、給気風路１３と排気風路１４の区切られた風路を均一な風量で通風する空間を確保することができ、排気風量もしくは給気風量の一方が風量低下を低減することで、給気流と排気流が十分に熱交換できる。これにより高い熱回収効果を実現できる。
【００４４】
また、伝熱板１６の素材が熱伝導性の高い金属または樹脂である構成としてもよい。この構成により、熱交換素子４の熱伝導率を向上できる。これにより、高い熱回収効果を実現できるという効果を奏する。たとえば、金属ではアルミが軽量であり安価な素材としてよく、樹脂では熱伝導性の高い材料をフィラとして配合されたものがよい。
【００４５】
また、熱交換素子４を備えた熱交換形換気装置である構成としてもよい。この構成により、ダクト等の円筒部材内部への設置が可能であり、更に、前記熱交換素子は、複数の前記給気風路と前記排気風路とが前記伝熱板で仕切られ交互に備えられていることで、複数の伝熱板によって伝熱面積を広く確保することができるので、コンパクト性に優れ、高い熱回収効果を実現できる熱交換形換気装置を提供することができるという効果を奏する。
【００４６】
図８は、同熱交換形換気装置２の熱交換素子４と送風機５の斜視図である。
【００４７】
送風機５は、１つの送風機５で排気と給気を同時に行うことができる送風機５を用いている。
【００４８】
図８に示すように、送風機５は、円筒形の仕切板２０の内周に設けた複数の内羽根１８と、仕切板２０の外周に設けた複数の外羽根１９を備え、外羽根１９は内羽根１８と逆方向に傾斜した構成としてもよい。すなわち、送風機５は、一定方向に傾斜された内羽根１８を回転することによって給気流を発生させ、熱交換素子４の室外吸込口１０から屋外空気を吸い込み、吸い込んだ屋外空気は伝熱板１６を有する熱交換素子４の給気風路１３内を通り、熱交換素子４の室内吹出口８へと吹出すことで、室内へと給気される。さらに、外羽根１９は内羽根１８と逆方向に傾斜させることで、円筒形の仕切板２０の外周に設けた外羽根１９が回転することにより排気流を給気流の逆方向に発生させ、屋内空気を熱交換素子４の室内吸込口７から屋内空気を吸い込み、吸い込んだ屋内空気は伝熱板１６を有する熱交換素子４の排気風路１４内を通り、熱交換素子４の室外吹出口９へと吹出し、室外へと排気される構成となっている。この構成により、給気風路１３と排気風路１４のそれぞれを通風させるために用いる送風機を一つにすることができ、送風機を２つ用いる場合と比較して、熱交換素子４の奥行き方向へのサイズアップが図れることで、伝熱面積を増加して熱交換効率を向上できる。これによりコンパクト性に優れ、熱回収効果の高い換気運転を実現できるという効果を奏する。
【００４９】
なお、本実施の形態では給気風路１３と排気風路１４で分けて例示したが、各風路を入れ替える構成にしてもよい。
【産業上の利用可能性】
【００５０】
本発明にかかる熱交換形換気装置は、伝熱板で仕切られた扇形の柱体である給気風路と排気風路とを交互に備えた円筒形の熱交換素子であって、前記排気風路と前記給気風路の扇形の頂点は円筒形の熱交換素子の中心に配置され、前記給気風路は室外吸込口と室内吹出口を有し、排気風路は室内吸込口と室外吹出口を有することを特徴とする熱交換素子ものであり、コンパクト性に優れ、高い熱回収効果を実現できるものである。
【００５１】
その結果、熱交換形換気装置として有用である。
【符号の説明】
【００５２】
１    家の壁面
２    熱交換形換気装置
３    ダクト
４    熱交換素子
５    送風機
７    室内吸込口
８    室内吹出口
９    室外吹出口
１０    室外吸込口
１３    給気風路
１４    排気風路
１５ａ，１５ｂ    給排風路仕切板
１６    伝熱板
１７    整流リブ
１８    内羽根
１９    外羽根
２０    仕切板
【図１】
2018017462.tif 000003
【図２】
2018017462.tif 000004
【図３】
2018017462.tif 000005
【図４】
2018017462.tif 000006
【図５】
2018017462.tif 000007
【図６】
2018017462.tif 000008
【図７】
2018017462.tif 000009
【図８】
2018017462.tif 000010
【図９】
2018017462.tif 000011